(57)【要約】【課題】無線中継装置の構成に影響を与えずに、精度の高い経路差の測定を行うこと。【解決手段】干渉波抑圧信号が入力されていない状態において干渉波ベクトルＢを検出し、０度、９０度、１８０度、２７０度の位相角を有した既定の生成抑圧ベクトルＳ１〜Ｓ４を干渉波ベクトルＢに合成し、経路差の影響を受けた残差ベクトルｄ１〜ｄ４を検出する。その後、干渉波ベクトルＢから残差ベクトルｄ１〜ｄ４をベクトル減算し、実抑圧ベクトルＳ１１〜Ｓ１４を求め、この実抑圧ベクトルＳ１１〜Ｓ１４の位相角θ１〜θ４から、各生成抑圧ベクトルＳ１〜Ｓ４の位相角を減算し、この値の平均値をオフセット値として求める。【選択図】　　　図２
2004056315.tif 000002
【特許請求の範囲】
【請求項１】
干渉波抑圧信号が入力されていない状態において検出される第１の干渉波信号の位相角と振幅とを検出する第１の干渉波検出ステップと、
既定の位相角と振幅とを有した基準干渉波抑圧信号を前記第１の干渉波信号に合成し、この合成された第２の干渉波信号の位相角と振幅とを検出する第２の干渉波検出ステップと、
前記第１の干渉波信号から前記第２の干渉波信号をベクトル減算した実抑圧信号を求める実抑圧信号演算ステップと、
前記実抑圧信号の位相角から前記基準干渉波抑圧信号の位相角を減算し、経路差に起因したオフセット値を求めるオフセット演算ステップと、
を含むことを特徴とする経路差測定方法。
【請求項２】
前記基準干渉波抑圧信号は、異なる位相角を有した複数の基準信号であり、
前記第２の干渉波検出ステップは、各基準信号に対応した複数の第２の干渉波信号の位相角と振幅とを検出し、
前記実抑圧信号演算ステップは、前記第１の干渉波信号から各第２の干渉波信号をそれぞれベクトル減算した複数の実抑圧信号を求め、
前記オフセット演算ステップは、各実抑圧信号の位相角から各基準信号の位相角を減算し、さらにこの減算結果の平均値を、経路差に起因したオフセット値として求めることを特徴とする請求項１に記載の経路差測定方法。
【請求項３】
前記基準信号は、位相角が０度、９０度、１８０度、２７０度を有し、それぞれ同じ振幅値を有した４つの信号であることを特徴とする請求項２に記載の経路差測定方法。
【請求項４】
請求項１〜３のいずれか一つに記載の経路差測定方法をコンピュータに実行させるプログラム。
【請求項５】
第１のアンテナから受信した受信信号と同一周波数の送信信号を増幅して第２のアンテナから中継信号として送出する際、前記受信信号と前記第２のアンテナから前記第１のアンテナへの回り込み信号との相関演算を行って該受信信号による干渉の抑圧を行う無線中継装置において、
干渉波抑圧信号が入力されていない状態において検出される第１の干渉波信号の位相角と振幅とを検出する第１の干渉波検出手段と、
既定の位相角と振幅とを有した基準干渉波抑圧信号を前記第１の干渉波信号に合成し、この合成された第２の干渉波信号の位相角と振幅とを検出する第２の干渉波検出手段と、
前記第１の干渉波信号から前記第２の干渉波信号をベクトル減算した実抑圧信号を求める実抑圧信号演算手段と、
前記実抑圧信号の位相角から前記基準干渉波抑圧信号の位相角を減算し、経路差に起因したオフセット値を求めるオフセット演算手段と、
を備えたことを特徴とする無線中継装置。
【請求項６】
前記基準干渉波抑圧信号は、異なる位相角を有した複数の基準信号であり、
前記第２の干渉波検出手段は、各基準信号に対応した複数の第２の干渉波信号の位相角と振幅とを検出し、
前記実抑圧信号演算手段は、前記第１の干渉波信号から各第２の干渉波信号をそれぞれベクトル減算した複数の実抑圧信号を求め、
前記オフセット演算手段は、各実抑圧信号の位相角から各基準信号の位相角を減算し、さらにこの減算結果の平均値を、経路差に起因したオフセット値として求めることを特徴とする請求項５に記載の無線中継装置。
【請求項７】
前記基準信号は、位相角が０度、９０度、１８０度、２７０度を有し、それぞれ同じ振幅値を有した４つの信号であることを特徴とする請求項６に記載の無線中継装置。
【発明の詳細な説明】
【０００１】
【発明の属する技術分野】
この発明は、通信装置、レーダ装置、各種高周波測定装置などの高周波信号を取り扱い、この高周波信号の位相の制御、さらには振幅の制御の際に測定が困難な経路差を精度良く測定することが可能な経路測定方法およびその方法をコンピュータに実行させるプログラムならびに無線中継装置に関し、特に干渉波抑圧機能が搭載された無線中継装置の干渉抑圧信号生成部に好適な経路差測定方法およびその方法をコンピュータに実行させるプログラムならびに無線中継装置に関するものである。
【０００２】
【従来の技術】
従来から、移動体通信システムなどでは、基地局と移動局との間に、山岳地域や、平野部であってもビル内あるいはトンネル内などの比較的に電波の届きにくい場所が発生し、この場合、無線中継装置が用いられる。このほか、無線中継装置は、無線ゾーンのエリア拡大のためにも用いられる。
【０００３】
この無線中継装置には、符号分割多元接続方式や符号分割多重方式を用い、受信した信号をそのまま、すなわち高周波信号のまま中継するＲＦリピータ装置がある。このＲＦリピータ装置は、再生中継せずにそのまま中継するために、コスト的に有利な装置である。
【０００４】
図６は、不感地帯をカバーする無線中継装置が用いられた移動通信システムの概要構成を示す図である。図６において、基地局１００と移動局１０１とは、移動局１０１が不感地帯１０３に位置するため、直接通信を行うことができない。無線中継装置２００は、基地局１００と移動局１０１との間の通信を中継する。無線中継装置２００は、基地局１００からの下り信号ｆＤをアンテナ２０１ａで受信し、この下り信号ｆＤを増幅してアンテナ２０１ｂから移動局１０１に送信する。一方、移動局１０１からの上り信号ｆＵは、アンテナ２０１ｂで受信し、この上り信号ｆＵを増幅してアンテナ２０１ａから基地局１００に送信する。
【０００５】
ここで、ＲＦリピータ装置としての無線中継装置２００は、同一周波数の高周波信号をそのまま増幅し輻射するため、アンテナ２０１ａ，２０１ｂ間のアイソレーションをリピータ利得よりも高く取るように設置される。しかし、送受信アンテナ間を十分離隔できないなど、ＲＦリピータ装置の設置制約上から、送受信アンテナ間のアイソレーションが十分とれない場合が発生し、送受信アンテナ間の回り込み信号によって伝送品質が劣化したり、あるいはアンテナ間のアイソレーションに比してリピータ利得が高い場合、発振してしまうという不具合が発生する。
【０００６】
このため、無線中継装置２００は、図７に示すように、回り込み信号を抑圧する干渉抑圧回路２２０ａ，２２０ｂが設けられる。図７において、この無線中継装置２００は、ＲＦリピータ装置であり、共用器２０２ａ，２０２ｂを用いて、アンテナ２０１ａ，２０１ｂを送受信アンテナとして使用している。アンテナ２０１ａによって受信された下り信号は、共用器２０２ａおよび方向性結合器２０３ａを介して方向性結合器２０５ａに出力され、一部が干渉抑圧回路２２０ａに分岐されるとともに、残りの下り信号は１チップ分遅延されて増幅器２０７ａに出力され、増幅される。増幅された下り信号は、方向性結合器２０８ａによって共用器２０２ｂに出力され、アンテナ２０１ｂを介して輻射されるとともに、一部は干渉抑圧回路２２０ａに出力される。干渉抑圧回路２２０ａは、入力された下り信号に対して同振幅・逆位相の信号を生成し、干渉抑圧信号として方向性結合器２０３ａに出力する。一方、アンテナ２０１ｂから出力された下り信号の一部は、アンテナ２０１ａへの回り込み信号Ｓａとして再度アンテナ２０１ａに入力されるが、方向性結合器２０３ａにおける干渉抑圧信号との合成により、回り込み信号Ｓａがキャンセルされる。同様にして、アンテナ２０１ｂから入力された上り信号は、共用器２０２ｂ、方向性結合器２０３ｂ、方向性結合器２０５ｂ、増幅器２０７ｂ、方向性結合器２０８ｂおよび共用器２０２ａを介して中継されるが、この際、干渉抑圧回路２２０ｂによって回り込み信号Ｓｂがキャンセルされる。
【０００７】
【発明が解決しようとする課題】
ところで、上述した干渉抑圧機能を有した無線中継装置では、干渉抑圧信号の生成点Ｐ１と、回り込み信号と干渉抑圧信号との合成点Ｐ２との間の経路差や、回り込み信号と干渉抑圧信号との合成点Ｐ２と、干渉参照信号やリファレンス信号の検出点Ｐ３，Ｐ４との間の経路差を、ネットワークアナライザを用いて測定し、この測定結果から最終的な経路差を求め、干渉抑圧回路が、この経路差を補正した干渉抑圧信号を生成するようにしていた。
【０００８】
しかしながら、ネットワークアナライザを用いて経路差を測定する場合、測定点にネットワークアナライザを接続するための高周波コネクタ等の接続手段を設ける必要があり、無線中継装置自体の回路構成が複雑になるという問題点があった。特に、無線中継装置の構成によっては、高周波コネクタなどの接続手段を設けることができない場合があり、接続手段を設けるための特殊な加工を施したりしなければならないという問題点がある。
【０００９】
また、たとえ接続手段が設けられても、測定する信号が高周波であることから、精度の高い経路差を測定することができない場合があるという問題点があった。現実には経路差を生じさせる経路の経路差すべてをネットワークアナライザで測定するのは困難であり、この測定できない経路差は誤差経路となり、結果的に干渉抑圧能力を劣化させることになるという問題点があった。特に、干渉抑圧回路自体の回路構成が複雑になると経路差の端点が複雑となり、誤差要因が増加し、干渉抑圧能力が低下する。
【００１０】
この発明は、上述した従来技術による問題点を解消するため、無線中継装置の構成に影響を与えずに、精度の高い経路差の測定を行うことができる経路差測定方法およびその方法をコンピュータに実行させるプログラムならびに無線中継装置を提供することを目的とする。
【００１１】
【課題を解決するための手段】
上述した課題を解決し、目的を達成するため、請求項１にかかる経路差測定方法は、干渉波抑圧信号が入力されていない状態において検出される第１の干渉波信号の位相角と振幅とを検出する第１の干渉波検出ステップと、既定の位相角と振幅とを有した基準干渉波抑圧信号を前記第１の干渉波信号に合成し、この合成された第２の干渉波信号の位相角と振幅とを検出する第２の干渉波検出ステップと、前記第１の干渉波信号から前記第２の干渉波信号をベクトル減算した実抑圧信号を求める実抑圧信号演算ステップと、前記実抑圧信号の位相角から前記基準干渉波抑圧信号の位相角を減算し、経路差に起因したオフセット値を求めるオフセット演算ステップとを含むことを特徴とする。
【００１２】
請求項１の発明によれば、第１の干渉波検出ステップによって、干渉波抑圧信号が入力されていない状態において検出される第１の干渉波信号の位相角と振幅とを検出し、第２の干渉波検出ステップによって、既定の位相角と振幅とを有した基準干渉波抑圧信号を前記第１の干渉波信号に合成し、この合成された第２の干渉波信号の位相角と振幅とを検出し、実抑圧信号演算ステップによって、前記第１の干渉波信号から前記第２の干渉波信号をベクトル減算した実抑圧信号を求め、オフセット演算ステップによって、前記実抑圧信号の位相角から前記基準干渉波抑圧信号の位相角を減算し、経路差に起因したオフセット値を求めるようにしているので、ネットワークアナライザを用いて経路差を測定する場合に比して、簡易な構成で実現でき、しかも複雑な回路構成であっても、精度の高いオフセット値を測定することができる。
【００１３】
また、請求項２にかかる経路差測定方法は、上記の発明において、前記基準干渉波抑圧信号は、異なる位相角を有した複数の基準信号であり、前記第２の干渉波検出ステップは、各基準信号に対応した複数の第２の干渉波信号の位相角と振幅とを検出し、前記実抑圧信号演算ステップは、前記第１の干渉波信号から各第２の干渉波信号をそれぞれベクトル減算した複数の実抑圧信号を求め、前記オフセット演算ステップは、各実抑圧信号の位相角から各基準信号の位相角を減算し、さらにこの減算結果の平均値を、経路差に起因したオフセット値として求めることを特徴とする。
【００１４】
請求項２の発明によれば、前記基準干渉波抑圧信号として異なる位相角を有した複数の基準信号を用い、前記第２の干渉波検出ステップが、各基準信号に対応した複数の第２の干渉波信号の位相角と振幅とを検出し、前記実抑圧信号演算ステップが、前記第１の干渉波信号から各第２の干渉波信号をそれぞれベクトル減算した複数の実抑圧信号を求め、前記オフセット演算ステップは、各実抑圧信号の位相角から各基準信号の位相角を減算し、さらにこの減算結果の平均値を、経路差に起因したオフセット値として求めるようにし、複数の測定によって精度の高いオフセット値を求めることができる。
【００１５】
また、請求項３にかかる経路差測定方法は、上記の発明において、前記基準信号は、位相角が０度、９０度、１８０度、２７０度を有し、それぞれ同じ振幅値を有した４つの信号であることを特徴とする。
【００１６】
請求項３の発明によれば、前記基準信号を、位相角が０度、９０度、１８０度、２７０度を有し、それぞれ同じ振幅値を有した４つの信号として、簡易かつ迅速な演算処理を実現している。
【００１７】
また、請求項４にかかるプログラムは、請求項１〜３のいずれか一つに記載の経路差測定方法をコンピュータに実行させるようにしている。
【００１８】
また、請求項５にかかる無線中継装置は、第１のアンテナから受信した受信信号と同一周波数の送信信号を増幅して第２のアンテナから中継信号として送出する際、前記受信信号と前記第２のアンテナから前記第１のアンテナへの回り込み信号との相関演算を行って該受信信号による干渉の抑圧を行う無線中継装置において、干渉波抑圧信号が入力されていない状態において検出される第１の干渉波信号の位相角と振幅とを検出する第１の干渉波検出手段と、既定の位相角と振幅とを有した基準干渉波抑圧信号を前記第１の干渉波信号に合成し、この合成された第２の干渉波信号の位相角と振幅とを検出する第２の干渉波検出手段と、前記第１の干渉波信号から前記第２の干渉波信号をベクトル減算した実抑圧信号を求める実抑圧信号演算手段と、前記実抑圧信号の位相角から前記基準干渉波抑圧信号の位相角を減算し、経路差に起因したオフセット値を求めるオフセット演算手段とを備えたことを特徴とする。
【００１９】
請求項５の発明によれば、第１の干渉波検出手段が、干渉波抑圧信号が入力されていない状態において検出される第１の干渉波信号の位相角と振幅とを検出し、第２の干渉波検出手段が、既定の位相角と振幅とを有した基準干渉波抑圧信号を前記第１の干渉波信号に合成し、この合成された第２の干渉波信号の位相角と振幅とを検出し、実抑圧信号演算手段が、前記第１の干渉波信号から前記第２の干渉波信号をベクトル減算した実抑圧信号を求め、オフセット演算手段が、前記実抑圧信号の位相角から前記基準干渉波抑圧信号の位相角を減算し、経路差に起因したオフセット値を求めるようにしているので、ネットワークアナライザを用いて経路差を測定する場合に比して、簡易な構成で実現でき、しかも複雑な回路構成であっても、精度の高いオフセット値を測定することができる。
【００２０】
また、請求項６にかかる無線中継装置は、上記の発明において、前記基準干渉波抑圧信号は、異なる位相角を有した複数の基準信号であり、前記第２の干渉波検出手段は、各基準信号に対応した複数の第２の干渉波信号の位相角と振幅とを検出し、前記実抑圧信号演算手段は、前記第１の干渉波信号から各第２の干渉波信号をそれぞれベクトル減算した複数の実抑圧信号を求め、前記オフセット演算手段は、各実抑圧信号の位相角から各基準信号の位相角を減算し、さらにこの減算結果の平均値を、経路差に起因したオフセット値として求めることを特徴とする。
【００２１】
請求項６の発明によれば、前記基準干渉波抑圧信号は、異なる位相角を有した複数の基準信号であり、前記第２の干渉波検出手段が、各基準信号に対応した複数の第２の干渉波信号の位相角と振幅とを検出し、前記実抑圧信号演算手段が、前記第１の干渉波信号から各第２の干渉波信号をそれぞれベクトル減算した複数の実抑圧信号を求め、前記オフセット演算手段が、各実抑圧信号の位相角から各基準信号の位相角を減算し、さらにこの減算結果の平均値を、経路差に起因したオフセット値として求めるようにし、複数の測定によって精度の高いオフセット値を求めることができる。
【００２２】
また、請求項７にかかる無線中継装置は、上記の発明において、前記基準信号は、位相角が０度、９０度、１８０度、２７０度を有し、それぞれ同じ振幅値を有した４つの信号であることを特徴とする。
【００２３】
請求項７の発明によれば、前記基準信号を、位相角が０度、９０度、１８０度、２７０度を有し、それぞれ同じ振幅値を有した４つの信号として、簡易かつ迅速な演算処理を実現している。
【００２４】
【発明の実施の形態】
以下に添付図面を参照して、この発明にかかる経路差測定方法およびその方法をコンピュータに実行させるプログラムならびに無線中継装置について説明する。
【００２５】
図１は、この発明の実施の形態である経路差測定方法が適用される無線中継装置の構成を示すブロック図である。図１において、この無線中継装置は、広帯域符号分割多元接続方式を採用した移動無線通信システムの一部に用いられる。なお、図７に示した無線中継装置と同一構成部分には同一符号を付している。この無線中継装置は、図１に示すように、回り込み信号Ｓａ，Ｓｂを抑圧する干渉抑圧回路２２０が設けられる。基地局１００からの下り受信信号は、アンテナ２０１ａで受信され、サーキュレータ２０２ａを介し、下り主線系信号ＳＤとして方向性結合器２０３ａに入力される。方向性結合器２０３ａは、後述する干渉抑圧信号である下り抑圧系信号ＳＤＸと合成され、下り主線系信号ＳＤ内の回り込み信号Ｓａ成分をキャンセルする。
【００２６】
下り主線系信号ＳＤは、その後、低雑音増幅器２０４ａに入力されて増幅され、方向性結合器２０５ａを介して遅延器２０６ａに入力される。遅延器２０６ａは１チップ以上、例えば８００ＭＨｚ帯の広帯域符号分割多元接続方式において７５０ｎｓｅｃ以上の遅延を与える。さらに、下り主線系信号ＳＤは、電力増幅器２０７ａによって電力増幅され、方向性結合器２０８ａを介して下り主線系信号ＳＤの一部を下りリファレンスＳＲＸとして分岐する。下り主線系信号ＳＤは、サーキュレータ２０２ｂを介してアンテナ２０１ｂから下り主線系信号ＳＤを放射し、その一部が回り込み信号Ｓａとしてアンテナ２０１ａに回り込む。
【００２７】
方向性結合器２０８ａから分岐された下りリファレンス信号ＳＲＸは、方向性結合器２０９ａを介して遅延器２１０ａに入力され、回り込み信号Ｓａと下り抑圧系信号ＳＤＸの遅延差に相当する遅延量が付加される。その後、下りリファレンス信号ＳＲＸは、可変の移相器２１１ａおよび可変の減衰器２１２ａに入力される。ここで、方向性結合器２０５ａから下り主線系信号ＳＤの一部である下り干渉参照信号ＳＩＲおよび方向性結合器２０９ａから下りリファレンス信号ＳＲＸの一部がデジタル信号処理部Ｃ２ａに入力される。デジタル信号処理部Ｃ２ａは、下りリファレンス信号ＳＲＸが、回り込み信号Ｓａと同振幅かつ逆位相とするべく、移相器２１１ａの移相量および減衰器２１２ａの減衰量とを可変調整する。これによって、回り込み信号Ｓａをキャンセルする下り抑圧系信号ＳＤＸが生成され、方向性結合器２０３ａに出力され、回り込み信号Ｓａの干渉抑圧が実行される。なお、アンテナ２０１ｂから受信される上り主線系信号ＳＵについても上り抑圧系信号ＳＵＸが生成され、この上り抑圧系信号ＳＵＸによる干渉抑圧が実行される。
【００２８】
ここで、干渉抑圧回路２２０から下り抑圧系信号ＳＤＸまたは上り抑圧系信号ＳＵＸが出力される生成点Ｐ１と、回り込み信号Ｓａ，Ｓｂと下り抑圧系信号ＳＤＸまたは上り抑圧系信号ＳＵＸとの合成点Ｐ２との間の経路差や、合成点Ｐ２と干渉参照信号やリファレンス信号の検出点Ｐ３，Ｐ４との間の経路差は、誤差経路となり、干渉抑圧回路２２０は、精度の高い干渉抑圧動作を行うことができない。
【００２９】
そこで、この発明の実施の形態では、デジタル信号処理部Ｃ２ａ，Ｃ２ｂが予め誤差経路をオフセット値として測定し、実際の干渉抑圧処理時にこのオフセット値を加味した補正を行うようにしている。
【００３０】
図２は、このオフセット値の測定概念を示す図である。図２において、干渉抑圧回路２２０は、まず既知の生成抑圧ベクトルＳ１〜Ｓ４を出力し、干渉参照信号ＳＩＲとリファレンス信号ＳＲＸとをもとに検出した残差ベクトルｄ１〜ｄ４を演算し、この残差ベクトルｄ１〜ｄ４と既知の干渉波ベクトルＢとから、生成抑圧ベクトルＳ１〜Ｓ４が経路差によってオフセットした実抑圧ベクトルＳ１１〜Ｓ１４を演算し、生成抑圧ベクトルＳ１〜Ｓ４と実抑圧ベクトルＳ１１〜Ｓ１４とオフセット値、すなわち位相差を求める。干渉抑圧回路２２０は、求めたオフセット値を保持し、このオフセット値を相殺する干渉抑圧信号ＳＤを生成出力する。
【００３１】
ここで、図３〜図５に示すフローチャートを参照して、オフセット値の測定手順について詳細に説明する。図３において、まず、パラメータの設定を行う（ステップＳ１０１）。このパラメータとは、図２に示した生成抑圧ベクトルＳ１〜Ｓ４の４つのベクトルの位相および振幅である。ここでは、生成抑圧ベクトルＳ１〜Ｓ４の各位相をそれぞれ０°、９０°、１８０°、２７０°にパラメータ設定している。また、各生成抑圧ベクトルＳ１〜Ｓ４の振幅を０．５にパラメータ設定している。なお、干渉波ベクトルの位相および振幅は、それぞれ０°および０にパラメータ設定している。なお、カウンタを用いて繰り返し演算を行う場合にはカウンタ値ｎのパラメータ設定を行う。この場合、ｎ＝４となる。
【００３２】
その後、干渉波ベクトルＢの測定を行う（ステップＳ１０２）。干渉波ベクトルＢは、干渉抑圧信号を出力せずに、単にレファレンス信号を受信すればよい。そして、干渉抑圧回路２２０は、干渉参照信号をもとにレファレンス信号の位相角を求めておく。
【００３３】
その後、干渉抑圧回路２２０は、生成抑圧ベクトルＳ１〜Ｓ４の出力と残差ベクトルｄ１〜ｄ４の取得処理を行う（ステップＳ１０３）。図４は、この生成ベクトルの出力と残差ベクトルの取得処理手順を示すフローチャートである。図４において、まず、パラメータの設定（ステップＳ１０１）によって設定された振幅と位相とをもとに生成抑圧ベクトルＳ１〜Ｓ４を設定する（ステップＳ２０１）。ここでは、まず生成抑圧ベクトルＳ１の振幅「０．５」と位相「０°」の設定を行う。その後、この設定した生成抑圧ベクトルＳ１を出力する（ステップＳ２０２）。
【００３４】
この生成抑圧ベクトルＳ１が出力されると、干渉抑圧回路２２０は、干渉参照信号およびリファレンス信号を取り出し、デジタルデータに変換して読み込む（ステップＳ２０３）。そして、干渉抑圧回路２２０のデジタル信号処理部Ｃ２ａ，Ｃ２ｂは、この干渉参照データとレファレンスデータとをもとに相関複素演算を行い（ステップＳ２０４）、この演算結果を順次蓄積する積分処理を行う（ステップＳ２０５）。その後、相関演算ポイント数に対応した繰り返し数の処理が終了したか否かを判断し（ステップＳ２０６）、繰り返し数の処理が終了しない場合にはステップＳ２０３に移行し、繰り返して相関複素演算処理を行い、繰り返し数の処理が終了した場合には、積分値の平均化処理を行って（ステップＳ２２０７）、この平均化されたベクトルを残差ベクトルｄ１として保存する（ステップＳ２０８）。その後、全生成抑圧ベクトルＳ１〜Ｓ４に対する処理が終了したか否かを判断し（ステップＳ２０９）、全ての生成抑圧ベクトルＳ１〜Ｓ４に対する残差ベクトルｄ１〜ｄ４の取得処理が終了しない場合には、ステップＳ２０１に移行し、次の生成抑圧ベクトルに対する残差ベクトルを求める処理を行い、全ての残差ベクトルの取得処理が終了した場合には、ステップＳ１０３にリターンする。
【００３５】
その後、各残差ベクトルｄ１〜ｄ４に対応するオフセット値を求めるオフセット値の演算処理を行う（ステップＳ１０４）。図５は、オフセット値の演算処理を示す詳細フローチャートである。図５において、まず、生成抑圧ベクトルの出力と残差ベクトルの取得処理（ステップＳ１０３）において求めた一つの残差ベクトルを読み込む（ステップＳ３０１）。
【００３６】
その後、この残差ベクトルから干渉波ベクトルを減算し、実抑圧ベクトルとして保存する（ステップＳ３０２）。たとえば、残差ベクトルｄ１から干渉波ベクトルＢを減算し、実抑圧ベクトルＳ１１を求める。その後、求めた実抑圧ベクトルの位相角を演算する（ステップＳ３０３）。たとえば、実抑圧ベクトルＳ１１の位相角θ１を求める。その後、実抑圧ベクトルの位相角から生成抑圧ベクトルの位相角を減算し、オフセット値を求める（ステップＳ３０４）。たとえば、実抑圧ベクトルＳ１１の位相角θ１から生成抑圧ベクトルＳ１の位相角０°を減算し、オフセット値をθ１として求める。さらに、このオフセット値を順次積分しておく（ステップＳ３０５）。
【００３７】
その後、全ての残差ベクトルｄ１〜ｄ４に対して上述したオフセット値を求める演算を行ったか否かを判断し（ステップＳ３０６）、全ての残差ベクトルｄ１〜ｄ４に対するオフセット値の積分を求めていない場合には、次の残差ベクトルに対する処理を行うためにステップＳ３０１に移行する。一方、全ての残差ベクトルｄ１〜ｄ４に対するオフセット値の積分を求めている場合には、ステップＳ１０４に移行する。
【００３８】
その後、この積分されたオフセット値の平均化を行って、最も確からしいオフセット値を算出し（ステップＳ１０５）、このオフセット値を出力し（ステップＳ１０６）。なお、この最終的に求められたオフセット値は、外部に出力してもよいし、たとえばデジタル信号処理部Ｃ２ａ，Ｃ２ｂ内に演算結果を直接保持させ、干渉抑圧信号生成時にこのオフセット値を加味した干渉抑圧信号を生成するようにしてもよい。
【００３９】
また、上述した処理では、４つの生成抑圧ベクトルＳ１〜Ｓ４を用いて４つの実抑圧ベクトルを求め、この結果から４つのオフセット値の平均オフセット値を求めるようにしているが、これに限らず、１つの生成抑圧ベクトルを用い、１つのオフセット値を求めても良い。ただし、異なる位相をもった生成抑圧ベクトルの数が増大すればするほど、精度の高いオフセット値を求めることができる。さらに、経路差による位相差（オフセット値）は、周波数によっても異なるため、使用する周波数に対応した複数のオフセット値を求めておき、デジタル信号処理部Ｃ２ａ，Ｃ２ｂに保持させ、中継する周波数に合わせたオフセット値を用いるようにしてもよい。
【００４０】
【発明の効果】
以上説明したように、請求項１，４，５の発明によれば、第１の干渉波検出ステップまたは手段によって、干渉波抑圧信号が入力されていない状態において検出される第１の干渉波信号の位相角と振幅とを検出し、第２の干渉波検出ステップまたは手段によって、既定の位相角と振幅とを有した基準干渉波抑圧信号を前記第１の干渉波信号に合成し、この合成された第２の干渉波信号の位相角と振幅とを検出し、実抑圧信号演算ステップまたは手段によって、前記第１の干渉波信号から前記第２の干渉波信号をベクトル減算した実抑圧信号を求め、オフセット演算ステップまたは手段によって、前記実抑圧信号の位相角から前記基準干渉波抑圧信号の位相角を減算し、経路差に起因したオフセット値を求めるようにしているので、ネットワークアナライザを用いて経路差を測定する場合に比して、簡易な構成で実現でき、しかも複雑な回路構成であっても、精度の高いオフセット値を測定することができる。特に、干渉波抑圧機能を有した無線中継装置の干渉波抑圧信号生成部に用いることによって干渉波抑圧機能を格段に高めることができるという効果を奏する。
【００４１】
また、請求項２，６の発明によれば、前記基準干渉波抑圧信号として異なる位相角を有した複数の基準信号を用い、前記第２の干渉波検出ステップまたは手段が、各基準信号に対応した複数の第２の干渉波信号の位相角と振幅とを検出し、前記実抑圧信号演算ステップまたは手段が、前記第１の干渉波信号から各第２の干渉波信号をそれぞれベクトル減算した複数の実抑圧信号を求め、前記オフセット演算ステップまたは手段は、各実抑圧信号の位相角から各基準信号の位相角を減算し、さらにこの減算結果の平均値を、経路差に起因したオフセット値として求めるようにし、複数の測定によって精度の高いオフセット値を求めることができるという効果を奏する。
【００４２】
また、請求項３，７の発明によれば、前記基準信号を、位相角が０度、９０度、１８０度、２７０度を有し、それぞれ同じ振幅値を有した４つの信号としているので、簡易かつ迅速な演算処理が実現できるという効果を奏する。
【図面の簡単な説明】
【図１】この発明の実施の形態である経路差測定方法が適用される干渉抑圧機能を有した無線中継装置の詳細構成を示す図である。
【図２】この発明の実施の形態である経路差測定方法の概念を説明する図である。
【図３】この発明の実施の形態である経路差測定方法の手順を示す全体フローチャートである。
【図４】図３に示した生成抑圧ベクトルの出力と残差ベクトルの取得処理の詳細処理手順を示すフローチャートである。
【図５】図３に示したオフセット値の演算処理の詳細処理手順を示すフローチャートである。
【図６】無線中継装置が適用される無線通信システムの概要構成を示す図である。
【図７】干渉抑圧機能を有した無線中継装置の構成の一例を示す図である。
【符号の説明】
１００　基地局
１０１　移動局
１０３　不感地帯
２００　無線中継装置
２０１ａ，２０１ｂ　アンテナ
２０２ａ，２０２ｂ　サーキュレータ
２０２ａ，２０２ｂ　共用器
２０３ａ，２０３ｂ，２０５ａ，２０５ｂ，２０８ａ，２０８ｂ，２０９ａ，２０９ｂ　方向性結合器
２０４ａ　低雑音増幅器
２０６ａ，２０６ｂ，２１０ａ，２１０ｂ　遅延器
２０７ａ，２０７ｂ　増幅器
２１１ａ，２１１ｂ　移相器
２１２ａ，２１２ｂ　減衰器
２２０　干渉抑圧回路
Ｃ２ａ，Ｃ２ｂ　デジタル信号処理部
Ｂ　干渉波ベクトル
ｄ１〜ｄ４　残差ベクトル
Ｓ１〜Ｓ４　生成抑圧ベクトル
Ｓ１１〜Ｓ１４　実抑圧ベクトル
Ｐ１　生成点
Ｐ２　合成点
Ｐ３，Ｐ４　検出点
【図１】
2004056315.tif 000003
【図２】
2004056315.tif 000004
【図３】
2004056315.tif 000005
【図４】
2004056315.tif 000006
【図５】
2004056315.tif 000007
【図６】
2004056315.tif 000008
【図７】
2004056315.tif 000009